(57)【特許請求の範囲】
【請求項１】
クラウン部が、フェース部側に配置される第一膨出部と、前記第一膨出部に隣接してバック側に配置される第二膨出部と、を備えるゴルフクラブヘッドであって、
縦と横に目盛を有するゲージを、横の目盛がトウ−ヒール方向に沿うように前記フェース部にあてがい、縦の目盛と横の目盛の目盛交点が横の目盛りと前記フェース部の輪郭との２交点及び縦の目盛りと前記輪郭との２交点の中央に位置した時の該目盛交点をフェースセンタとしたときに、前記フェースセンタを通り、上下方向に延びる平面上における前記第一膨出部のフェースーバック方向の幅は、前記第二膨出部の前記フェースーバック方向の幅より小さく、
前記平面において前記フェース部の上端部からバック側のサイド部の上端部を結んだ直線を基準とした前記直線に対する垂直方向の高さを膨出高さとしたときに、前記第二膨出部の膨出高さは、前記第一膨出部の膨出高さより大きく、
前記第二膨出部は、フェース−バック方向の一端で前記第一膨出部と接続し、他端でバック側サイド部と接続し、前記一端から前記他端までの間で前記膨出高さが漸増して漸減し、
前記第一膨出部と前記第二膨出部とが接続する部分に谷部が形成され、
前記ゴルフクラブヘッドを規定ライ角及び規定ロフト角通りに接地した場合、前記クラウン部の頂部は前記第二膨出部にあることを特徴とするゴルフクラブヘッド。
【請求項２】
請求項１に記載のゴルフクラブヘッドであって、
前記第一膨出部及び前記第二膨出部は、前記平面と直交するトウーヒール方向にのびて配置されることを特徴とするゴルフクラブヘッド。
【請求項３】
請求項１に記載のゴルフクラブヘッドであって、
前記第一膨出部は、フェースーバック方向の一端でフェース部の上端部と接続し、他端で前記第二膨出部と接続し、前記一端から前記他端までの間で前記膨出高さが漸増することを特徴とするゴルフクラブヘッド。
【請求項４】
請求項１に記載のゴルフクラブヘッドであって、
前記平面上における前記第一膨出部のフェースーバック方向の幅は、ヘッドの幅の２０％以上、４０％以下であることを特徴とするゴルフクラブヘッド。
【請求項５】
請求項１に記載のゴルフクラブヘッドであって、
前記第一膨出部及び第二膨出部は、トウーヒール方向の中央部付近のみに配置されていることを特徴とするゴルフクラブヘッド。
【請求項６】
請求項２に記載のゴルフクラブヘッドであって、
前記第一膨出部と前記第二膨出部との接続部分のトウ−ヒール方向の幅は、前記ゴルフクラブヘッド全体のトウ−ヒール方向の幅の５０％以上１００％以下であることを特徴とするゴルフクラブヘッド。
【発明の詳細な説明】
【技術分野】
【０００１】
本発明はゴルフクラブヘッドに関する。
【背景技術】
【０００２】
ゴルフクラブヘッドに流れる気流に影響を与えるための方策が提案されている（特許文献１〜４）。
【先行技術文献】
【特許文献】
【０００３】
【特許文献１】特開２０００−１７６０５７号公報
【特許文献２】特開平０３−１１４４７７号公報
【特許文献３】米国特許出願公開第２００３／２２０１５４号明細書
【特許文献４】米国特許第８７７７７７３号明細書
【発明の概要】
【発明が解決しようとする課題】
【０００４】
ゴルフクラブヘッドは、その形状によりゴルフクラブヘッドに流れる気流に影響を与え、空気抵抗を悪化させる場合がある。空気抵抗が大きくなると、ヘッドスピードが低下し、ゴルフクラブヘッドの飛距離性能を悪化させることになる。
【０００５】
本発明の目的は、ゴルフクラブヘッドに対する空気抵抗を低減することにある。
【課題を解決するための手段】
【０００６】
本発明によれば、クラウン部が、フェース部側に配置される第一膨出部と、前記第一膨出部に隣接してバック側に配置される第二膨出部と、を備えるゴルフクラブヘッドであって、縦と横に目盛を有するゲージを、横の目盛がトウ−ヒール方向に沿うように前記フェース部にあてがい、縦の目盛と横の目盛の目盛交点が横の目盛りと前記フェース部の輪郭との２交点及び縦の目盛りと前記輪郭との２交点の中央に位置した時の該目盛交点をフェースセンタとしたときに、前記フェースセンタを通り、上下方向に延びる平面上における前記第一膨出部のフェースーバック方向の幅は、前記第二膨出部の前記フェースーバック方向の幅より小さく、前記平面において前記フェース部の上端部からバック側のサイド部の上端部を結んだ直線を基準とした前記直線に対する垂直方向の高さを膨出高さとしたときに、前記第二膨出部の膨出高さは、前記第一膨出部の膨出高さより大きく、前記第二膨出部は、フェース−バック方向の一端で前記第一膨出部と接続し、他端でバック側サイド部と接続し、前記一端から前記他端までの間で前記膨出高さが漸増して漸減し、前記第一膨出部と前記第二膨出部とが接続する部分に谷部が形成され、前記ゴルフクラブヘッドを規定ライ角及び規定ロフト角通りに接地した場合、前記クラウン部の頂部は前記第二膨出部にあることを特徴とするゴルフクラブヘッドが提供される。
【発明の効果】
【０００７】
本発明によれば、ゴルフクラブヘッドに対する空気抵抗を低減することができる。
【図面の簡単な説明】
【０００８】
【図１】本発明の一実施形態に係るゴルフクラブヘッドの斜視図。
【図２】図１のゴルフクラブヘッドを上から見た図。
【図３】図１のゴルフクラブヘッドを（Ａ）はフェース面から見た図、（Ｂ）はトウ側から見た図。
【図４】（Ａ）はフェースセンタの説明図、（Ｂ）は図３（Ａ）のIV−IV断面図。
【図５】（Ａ）及び（Ｂ）は空気流の流れの説明図。
【発明を実施するための形態】
【０００９】
図１は本発明の一実施形態のゴルフクラブヘッド１０をフェース側から見た斜視図である。図２はゴルフクラブヘッド１０を上から見た平面図である。図３（Ａ）は、ゴルフクラブヘッド１０をフェース側から見た正面図である。図３（Ｂ）は、ゴルフクラブヘッド１０をトウ側から見た側面図である。図３（Ａ）及び（Ｂ）は、それぞれ、ゴルフクラブヘッド１０を規定ライ角Θ１及び規定ロフト角Θ２通りに接地した場合の図である。
【００１０】
ゴルフクラブヘッド１０は中空体をなしており、フェース面（打撃面）を形成するフェース部１１と、ゴルフクラブヘッド１０の上部を形成するクラウン部１２と、ゴルフクラブヘッド１０の底部を形成するソール部１３とを備えている。またゴルフクラブヘッド１０は、その周壁を構成するクラウン部１２とソール部１３との間のサイド部１４を備えている。サイド部１４は、トウ側の部分、ヒール側の部分及びバック側の部分を含む。また、ゴルフクラブヘッド１０はシャフトが挿入されて固定されるホゼル部１５を備える。
【００１１】
クラウン部１２は、空気抵抗の低減要素として、後述する第一膨出部１２ａ及び第二膨出部１２ｂを備える。第一膨出部１２ａは、クラウン部１２のフェース部側に配置される。第二膨出部１２ｂは、第一膨出部１２ａに隣接してクラウン部１２のバック側に配置される。
【００１２】
各図において、矢印ｄ１はフェース−バック方向を、矢印ｄ２はトウ−ヒール方向を、矢印ｄ３は上下方向をそれぞれ示している。フェース−バック方向は、通常は、飛球線方向（打球の目標方向）である。トウ−ヒール方向は、例えば、ソール部１３のトウ側端とヒール側端とを結ぶ方向或いはフェース−バック方向に直交する方向と規定することができる。
【００１３】
ゴルフクラブヘッド１０はドライバ用のゴルフクラブヘッドである。しかし、本発明はドライバ以外のフェアウエイウッド等も含むウッド型のゴルフクラブヘッド、ユーティリティ型（ハイブリッド型）のゴルフクラブヘッド、その他のゴルフクラブヘッド等、各種ゴルフクラブヘッドに適用可能である。
【００１４】
ゴルフクラブヘッド１０は、金属材料から作成することができ、そのような金属材料としては、チタン系金属（例えば、６Ａｌ−４Ｖ−Ｔｉのチタン合金等）、ステンレス、ベリリウムカッパー等の銅合金が挙げられる。
【００１５】
＜フェースセンタ＞
図４（Ａ）を参照してフェースセンタについて説明する。図４（Ａ）に示すように、縦と横に目盛を有するゲージＧをフェース部１１にあてがい、縦の目盛と横の目盛の中央となる点をフェースセンタＦＣとする。ゲージＧは、縦の目盛と横の目盛の交点に孔が形成された、透過性を有する薄板であって、いわゆるインパクトポイントテンプレートと同じものを利用することができる。インパクトポイントテンプレートとは、フェース部のＣＴ値を計測する際にフェースセンタを特定するためのテンプレートである。
【００１６】
＜膨出部＞
図４（Ｂ）は、フェース部１１のフェースセンタＦＣを通り、上下方向に延びる平面Ｓ１でゴルフクラブ１０を切断した断面図（図３（Ａ）のＩＶ−ＩＶ断面図）を示す。第一膨出部１２ａは、フェースーバック方向ｄ１の一端でフェース部１１の上端部１１ａと接続し、他端で第二膨出部１２ｂと接続点１２ｃで接続し、上方へ膨出する。また第二膨出部１２ｂは、フェースーバック方向ｄ１の一端で第一膨出部１２ａと接続点１２ｃで接続し、他端でバック側のサイド部１４の上端部１４ａと接続し、上方へ膨出する。
【００１７】
ここで、上記平面Ｓ１上における第一膨出部１２ａのフェースーバック方向ｄ１の幅Ｗ１をフェース部１１の上端部１１ａから接続点１２ｃまでの幅とする。また、第二膨出部１２ｂのフェースーバック方向ｄ１の幅Ｗ２を接続点１２ｃからサイド部１４の上端部１４ａまでの幅とする。このとき第一膨出部１２ａの幅Ｗ１は、第二膨出部１２ｂの幅Ｗ２より小さく設定されている。こうすることで、後述するクラウン部１２を通過する空気流がクラウン部１２に沿わされやすくなり、空気流の剥離箇所をバック側へ伸ばすことができる。そして、第一膨出部１２ａのフェースーバック方向ｄ１の幅Ｗ１は、ヘッド１０のクラウン部１２における全体の幅Ｗの２０％以上、４０％以下であってもよい。
【００１８】
図３（Ａ）及び図４（Ｂ）を参照して、第一膨出部１２ａ及び第二膨出部１２ｂの膨出高さについて説明する。本実施形態において膨出高さとは、図４（Ｂ）に示すように第一膨出部１２ａの始点であるフェース部１１の上端部１１ａから、第二膨出部１２ｂの終点であるサイド部１４の上端部１４ａまでを結んだ直線Ｌ１に対して垂直上方に、各膨出部１２ａ、１２ｂがヘッド１０の外方へ延びる高さを示す。
【００１９】
さらに図４（Ｂ）においては、第一膨出部１２ａの膨出高さの最大値を最大高さｈ１、第二膨出部１２ｂの膨出高さの最大値を最大高さｈ２として示す。なお本実施形態においては、第一膨出部１２ａの最大高さｈ１は、接続点１２ｃにおける膨出高さとしている。また、第二膨出部１２ｂの最大高さｈ２は、接続点１２ｃからバック側に所定距離ずれた箇所における膨出高さとしている。つまり、フェース部１１の上端部（上端）１１ａからの第二膨出部１２ｂの膨出高さは、第一膨出部１２ａの膨出高さより大きくなるように設定される。
【００２０】
また本実施形態においては、第一膨出部１２ａの膨出高さは、フェース部１１の上端部１１ａから接続線１２ｃまでの間で漸増している。また第二膨出部１２ｂの膨出高さは、接続点１２ｃからバック側に位置する膨出高さが最大値を取る範囲まで漸増し、その後バック側のサイド部１４の上端部１４ａまでの間で漸減している。なお、第一膨出部１２ａの膨出高さの最大値は、接続点１２ｃでなくてもよく、接続点１２ｃよりもフェース側に設定してもよい。
【００２１】
なお図３（Ａ）に示すように、第一膨出部１２ａ及び第二膨出部１２ｂは、フェースセンタＦＣを通る平面Ｓ１と直交するトウーヒール方向ｄ２にのびて配置される。そして、図２に示すように、例えば第一膨出部１２ａと第二膨出部１２ｂとの接続点１２ｃがトウーヒール方向に配置される幅（第一膨出部１２ａの幅）Ｗ３は、ヘッド１０全体の幅Ｗ４の５０％以上、１００％以下としてもよい。
【００２２】
＜空気流の流れ＞
図３（Ｂ）にヘッド１０の側面視において、クラウン部１２を通過する空気流の流れＦＬの様子を示す。第二膨出部１２ｂの膨出高さが、第一膨出部１２ａの膨出高さより高くなっていることで、フェース面１１側から侵入した空気流の流れＦＬは、第一膨出部１２ａを通過後、第二膨出部１２ｂに突き当たり、さらに第二膨出部１２ｂの膨出高さが最大となる箇所までクラウン部１２に沿って流れることができる。そして、第二膨出部１２ｂの膨出高さが最大となる箇所よりバック側のクラウン部１２においては、空気流の流れＦＬの剥離が見られる。
【００２３】
ここで図５を参照して、コンピュータ上のシミュレーションを行った結果として、本実施形態と従来技術におけるクラウン部に対する空気流の流れと剥離箇所について説明する。図５（Ａ）のゴルフクラブヘッドは、第一及び第二膨出部を備えていない点を除いてゴルフクラブヘッド１０と同じ構成であり、従来のゴルフクラブヘッドの一例を示している。図５（Ａ）は、従来のクラウン部Ｃに対する空気流の流れＦＬと剥離箇所との関係を示す説明図である。従来のクラウン部Ｃにおける剥離が開始される箇所を実線Ｂ１で示す。図５（Ａ）に示すように、打撃直前においては、ゴルフクラブヘッド１０に対する気流はフェース−バック方向に流れる。クラウン部Ｃの表面を流れる気流は、フェース部１１側で層流となり、途中で剥離する。気流の剥離が早い程、ゴルフクラブヘッド１０に対する空気抵抗が大きくなる。
【００２４】
図５（Ｂ）は、本実施形態における第一膨出部１２ａ及び第二膨出部１２ｂを備えるクラウン部１２に対する空気流の流れＦＬと剥離箇所との関係を示す説明図である。クラウン部１２における剥離が開始される箇所を実線Ｂ２で示す。本実施形態において、第二膨出部１２ｂによって空気流ＦＬがクラウン部１２に沿わせやすくなり、空気流の剥離箇所がバック側へ伸ばされたことがわかる。この結果、ゴルフクラブヘッド１０に対する空気抵抗を低減できる。
【００２５】
以上のように本実施形態のゴルフクラブ１０によれば、気流の剥離が生じる位置を、よりバック側に移すことができ、クラウンの空気流の剥離を遅延させて、ゴルフクラブヘッドに対する空気抵抗を低減することができる。また、第一膨出部１２ａと第二膨出部１２ｂとの接続点１２ｃが、クラウン部１２を横断していることにより、クラウン部１２の表面を流れる気流が、トウ−ヒール方向ｄ２の全体に渡って剥離しづらくなるようにすることができる。
【００２６】
＜他の実施形態＞
上記実施形態では、第一膨出部１２ａに隣接する膨出部を一つとしたが、複数としてもよい。その際、第一膨出部１２ａからバック側へ隣接する複数の膨出部はそれぞれ膨出高さが、フェース側に隣接する膨出部より高く設定されている。また膨出部は、ゴルフクラブヘッド１０のトウーヒール方向ｄ２の中央部付近のみ、または両端部付近のみに配置されていてもよい。
【符号の説明】
【００２７】
１０  ゴルフクラブヘッド、１１  フェース部、１２  クラウン部、１２ａ  第一膨出部、１２ｂ  第二膨出部、１５  ホゼル部
【図１】
0006708393.tif 000002
【図２】
0006708393.tif 000003
【図３】
0006708393.tif 000004
【図４】
0006708393.tif 000005
【図５】
0006708393.tif 000006